(57)【要約】      （修正有）【課題】複数の室外熱交換器を有する熱交換システムの熱交換ロスを抑制しつつ、熱交換システムの除霜運転することができる熱交換システム及びその制御方法を提供する。【解決手段】低段側圧縮機３aと、低段側圧縮機３aで圧縮された冷媒をさらに圧縮する高段側圧縮機３ｂと、複数の室外熱交換器６と室内熱交換器５とを備える空気調和機１０であって、室内熱交換器５と各室外熱交換器６の一端側と、高段側圧縮機３ｂの吐出側と、低段側圧縮機３aと高段側圧縮機３ｂとの間の接続点とに接続され、流通させる冷媒の流路を切り替える四方弁７と、四方弁７と、各室外熱交換器６との間にそれぞれ設けられ、四方弁７と、各室外熱交換器６と、低段側圧縮機３aの吸入側とに流通させる冷媒の流路を切り替える三方弁８と、四方弁７と三方弁８との流路の切替えを制御する制御部を具備する。【選択図】図４
2018204812.tif 000002
【特許請求の範囲】
【請求項１】
低段側圧縮機と、前記低段側圧縮機で圧縮された冷媒をさらに圧縮する高段側圧縮機と、複数の熱源側熱交換器と、利用側熱交換器と、を備える熱交換システムであって、
前記利用側熱交換器と、各前記熱源側熱交換器の一端側と、前記高段側圧縮機の吐出側と、前記低段側圧縮機と前記高段側圧縮機との間の接続点とに接続され、流通させる前記冷媒の流路を切り替える第１流路切替手段と、
前記第１流路切替手段と、各前記熱源側熱交換器との間にそれぞれ設けられ、前記第１流路切替手段と、各前記熱源側熱交換器と、前記低段側圧縮機の吸入側とに流通させる前記冷媒の流路を切り替える第２流路切替手段と、
前記第１流路切替手段と前記第２流路切替手段との流路の切替えを制御する制御手段と
を具備する熱交換システム。
【請求項２】
一の前記熱源側熱交換器と接続される前記第２流路切替手段を第１の第２流路切替手段とし、一の前記熱源側熱交換器以外の他の前記熱源側熱交換器と接続される前記第２流路切替手段を第２の第２流路切替手段とし、
暖房運転時、前記制御手段は、前記第１の第２流路切替手段を介して前記低段側圧縮機に前記冷媒を流入させ、前記第２の第２流路切替手段を介して前記高段側圧縮機に前記冷媒を流入させる請求項１に記載の熱交換システム。
【請求項３】
一の前記熱源側熱交換器と接続される前記第２流路切替手段を第１の第２流路切替手段とし、一の前記熱源側熱交換器以外の他の前記熱源側熱交換器と接続される前記第２流路切替手段を第２の第２流路切替手段とし、複数の前記熱源側熱交換器のうち一の前記熱源側熱交換器が着霜した場合に、
前記制御手段は、一の前記熱源側熱交換器を凝縮器として運転させ、他の前記熱源側熱交換器を蒸発器として運転させ、前記第１の第２流路切替手段は前記高段側圧縮機からの前記冷媒を一の前記熱源側熱交換器に流通させ、前記第２の第２流路切替手段は他の前記熱源側熱交換器からの前記冷媒を前記低段側圧縮機に流通させる請求項１または請求項２に記載の熱交換システム。
【請求項４】
低段側圧縮機と、前記低段側圧縮機で圧縮された冷媒をさらに圧縮する高段側圧縮機と、複数の熱源側熱交換器と、利用側熱交換器と、を備える熱交換システムであって、
前記利用側熱交換器と、各前記熱源側熱交換器の一端側と、前記高段側圧縮機の吐出側と、前記低段側圧縮機の吸入側に接続され、流通させる前記冷媒の流路を切り替える第１流路切替手段と、
前記第１流路切替手段と、各前記熱源側熱交換器との間にそれぞれ設けられ、前記第１流路切替手段と、各前記熱源側熱交換器と、前記低段側圧縮機と前記高段側圧縮機の接続点に流通させる前記冷媒の流路を切り替える第２流路切替手段と、
前記第１流路切替手段と前記第２流路切替手段との流路の切替えを制御する制御手段と
を具備する熱交換システム。
【請求項５】
一の前記熱源側熱交換器と接続される前記第２流路切替手段を第１の第２流路切替手段とし、一の前記熱源側熱交換器以外の他の前記熱源側熱交換器と接続される前記第２流路切替手段を第２の第２流路切替手段とし、複数の前記熱源側熱交換器のうち一の前記熱源側熱交換器が着霜した場合に、
着霜した前記熱源側熱交換器を凝縮器として運転させ、着霜していない前記熱源側熱交換器を蒸発器として運転させ、
前記制御手段は、前記高段側圧縮機から吐出された前記冷媒を前記凝縮器として運転される前記熱源側熱交換器に流通させるように前記第１の第２流路切替手段を制御し、前記凝縮器を流通後に前記蒸発器として運転される前記熱源側熱交換器を介して、前記高段側圧縮機に前記冷媒を流通させるように前記第２の第２流路切替手段を制御する請求項４に記載の熱交換システム。
【請求項６】
暖房運転時に、前記利用側熱交換器の出口の液冷媒と、該液冷媒の一部を膨張させた二相冷媒を熱交換させる液ガス熱交換器を備え、熱交換後の前記二相冷媒を前記低段側圧縮機または前記高段側圧縮機に流入させる請求項１から請求項５のいずれかに記載の熱交換システム。
【請求項７】
前記高段側圧縮機から吐出された前記冷媒を、前記熱源側熱交換器に戻すバイパス経路を設け除霜する請求項１から請求項６のいずれかに記載の熱交換システム。
【請求項８】
低段側圧縮機と、前記低段側圧縮機で圧縮された冷媒をさらに圧縮する高段側圧縮機と、複数の熱源側熱交換器と、利用側熱交換器と、を備える熱交換システムの制御方法であって、
前記利用側熱交換器と、各前記熱源側熱交換器の一端側と、前記高段側圧縮機の吐出側と、前記低段側圧縮機と前記高段側圧縮機との間の接続点とに接続された第１流路切替手段において流通させる前記冷媒の流路を切り替える第１工程と、
前記第１流路切替手段と、各前記熱源側熱交換器との間にそれぞれ設けられ、前記第１流路切替手段と、各前記熱源側熱交換器と、前記低段側圧縮機の吸入側とに接続された第２流路切替手段において流通させる前記冷媒の流路を切り替える第２工程と、
前記第１流路切替手段と前記第２流路切替手段との流路の切替えを制御する第３工程と
を具備する熱交換システムの制御方法。
【請求項９】
低段側圧縮機と、前記低段側圧縮機で圧縮された冷媒をさらに圧縮する高段側圧縮機と、複数の熱源側熱交換器と、利用側熱交換器と、を備える熱交換システムの制御方法であって、
前記利用側熱交換器と、各前記熱源側熱交換器の一端側と、前記高段側圧縮機の吐出側と、前記低段側圧縮機の吸入側に接続された第１流路切替手段に流通させる前記冷媒の流路を切り替える第１工程と、
前記第１流路切替手段と、各前記熱源側熱交換器との間にそれぞれ設けられ、前記第１流路切替手段と、各前記熱源側熱交換器と、前記低段側圧縮機と前記高段側圧縮機の接続点に接続された第２流路切替手段に流通させる前記冷媒の流路を切り替える第２工程と、
前記第１流路切替手段と前記第２流路切替手段との流路の切替えを制御する第３工程と
を具備する熱交換システムの制御方法。
【発明の詳細な説明】
【技術分野】
【０００１】
本発明は、熱交換システム及びその制御方法に関するものである。
【背景技術】
【０００２】
例えば、空気調和機が暖房状態で運転している場合に、蒸発器として運転している熱交換器の吹込空気が０℃を下回ると、熱交換器が着霜し、蒸発能力が低下するフロストが発生する。そこで、空気調和機の冷媒回路の冷媒の流れ方向を切り替える四方弁を切り替え、一時的に冷房サイクルで運転させることで、蒸発器として運転していた熱交換器を凝縮器として運転させるように役割を反転させたリバースサイクル運転を実施し、着霜した熱交換器を除霜する運転（デフロスト運転）が行われている。
また、ヒートポンプ式暖房給湯機のように加熱温度が高い機器の場合では、低圧と高圧の差が大きいために圧縮機が１台では能力が足りず、圧縮機を２台直列で接続して昇圧する多段圧縮方式の機器構成とする場合がある（例えば、特許文献１参照）。
【０００３】
リバースサイクルでのデフロスト運転時は、暖房運転時の冷媒回路の冷媒流れが逆転され、除霜するために室外機側の熱交換器が高温にされ、室内機側の熱交換器が低温にされるため、加熱能力が低下する。このような室内機の能力低下を防ぐために、下記特許文献２では、室外機に設ける蒸発器を２台設け、利用側熱交換器３３と熱源側熱交換器５２の暖房運転するサイクルと、熱源側熱交換器５１と熱源側熱交換器５２の除霜運転するサイクルの２つのサイクルを構成し、着霜した熱交換器の除霜する技術が開示されている。
【先行技術文献】
【特許文献】
【０００４】
【特許文献１】特開２００４−８５０４７号公報
【特許文献２】特開２０１４−２２４６４４号公報
【発明の概要】
【発明が解決しようとする課題】
【０００５】
しかしながら、上記特許文献２の方法では、多段圧縮方式の空気調和機で暖房運転時に、室外機に設けられた複数の蒸発器が同一の圧縮機に接続されており、それぞれの蒸発器の蒸発温度が異なる場合には、蒸発温度が高い蒸発器は、蒸発温度が低い蒸発器に蒸発温度を合わせるように運転制御される。そうすると、高い蒸発温度で運転できる蒸発器の運転能力が抑制され、ロスが生じるという問題があった。また、特許文献２の方法では、室外機では蒸発器が２台以上同時に機能していることを前提としているので、例えば、室外機の熱交換器の一方の熱源が無い場合には除霜することができない。また、特許文献１の方法においては、室外熱交換器が１つしか設けられていないので、多段圧縮方式で蒸発器が複数ある場合については考慮されていない。
【０００６】
本発明は、このような事情に鑑みてなされたものであって、複数の室外熱交換器を有する熱交換システムの熱交換ロスを抑制しつつ、熱交換システムの除霜運転することができる熱交換システム及びその制御方法を提供することを目的とする。
【課題を解決するための手段】
【０００７】
上記課題を解決するために、本発明は以下の手段を採用する。
本発明は、低段側圧縮機と、前記低段側圧縮機で圧縮された冷媒をさらに圧縮する高段側圧縮機と、複数の熱源側熱交換器と、利用側熱交換器と、を備える熱交換システムであって、前記利用側熱交換器と、各前記熱源側熱交換器の一端側と、前記高段側圧縮機の吐出側と、前記低段側圧縮機と前記高段側圧縮機との間の接続点とに接続され、流通させる前記冷媒の流路を切り替える第１流路切替手段と、前記第１流路切替手段と、各前記熱源側熱交換器との間にそれぞれ設けられ、前記第１流路切替手段と、各前記熱源側熱交換器と、前記低段側圧縮機の吸入側とに流通させる前記冷媒の流路を切り替える第２流路切替手段と、前記第１流路切替手段と前記第２流路切替手段との流路の切替えを制御する制御手段とを具備する熱交換システムを提供する。
【０００８】
本発明の構成によれば、熱源側熱交換器から出た冷媒は、第２流路切替手段の流路の切替えによって低段側圧縮機への流路と第１流路切替手段への流路に分けられ、第１流路切替手段の切替えによって、高段側圧縮機から吐出された冷媒は、第１流路切替手段を介して利用側熱交換器側と、低段側圧縮機と高段側圧縮機との接続点に接続される流路と、各熱源側熱交換器側の一端側とに流路が切り替えられる。
本発明の構成により、複数の熱源側熱交換器から出た冷媒は、低段側圧縮機の入力側に流通させる経路と、第１流路切替手段を介して低段側圧縮機を流通させずに高段側圧縮機の入力側に流通させる経路とに分けることができる。このように、複数の熱源側熱交換器から出た冷媒を、低段側圧縮機と高段側圧縮機に個別に冷媒を流入させることができるので、熱源側熱交換器を蒸発器として使用する場合には、複数の熱源側熱交換器を異なる蒸発温度で運転させることができ、複数の熱源側熱交換器を同じ蒸発温度で運転させる場合と比較して効率よく運転できる。
【０００９】
上記熱交換システムにおいて、一の前記熱源側熱交換器と接続される前記第２流路切替手段を第１の第２流路切替手段とし、一の前記熱源側熱交換器以外の他の前記熱源側熱交換器と接続される前記第２流路切替手段を第２の第２流路切替手段とし、暖房運転時、前記制御手段は、前記第１の第２流路切替手段を介して前記低段側圧縮機に前記冷媒を流入させ、前記第２の第２流路切替手段を介して前記高段側圧縮機に前記冷媒を流入させてもよい。
【００１０】
これにより、蒸発温度が低い熱源側熱交換器から出力された冷媒は、低段側圧縮機と高段側圧縮機で圧縮させ、蒸発温度が高い熱源側熱交換器から出力された冷媒は、高段側圧縮機で圧縮させることができるので、異なる蒸発温度の熱源側熱交換器があっても、ロスなく運転させることができる。
【００１１】
上記熱交換システムにおいて、一の前記熱源側熱交換器と接続される前記第２流路切替手段を第１の第２流路切替手段とし、一の前記熱源側熱交換器以外の他の前記熱源側熱交換器と接続される前記第２流路切替手段を第２の第２流路切替手段とし、複数の前記熱源側熱交換器のうち一の前記熱源側熱交換器が着霜した場合に、前記制御手段は、一の前記熱源側熱交換器を凝縮器として運転させ、他の前記熱源側熱交換器を蒸発器として運転させ、前記第１の第２流路切替手段は前記高段側圧縮機からの冷媒を一の前記熱源側熱交換器に流通させ、前記第２の第２切替手段は他の前記熱源側熱交換器からの前記冷媒を前記低段側圧縮機に流通させてもよい。
【００１２】
このように、熱源側熱交換器が複数設けられることにより、そのうち１つの熱源側熱交換器が着霜した場合には、着霜した熱源側熱交換器を凝縮器として運転させ、着霜していない熱源側熱交換器を蒸発器として運転させることにより、熱源側の熱交換器だけで除霜（デフロスト）運転を実施することができる。これにより、利用側熱交換器には低温の冷媒が流通することが無く、利用側における冷媒の温度低下を抑制することができる。
【００１３】
本発明は、低段側圧縮機と、前記低段側圧縮機で圧縮された冷媒をさらに圧縮する高段側圧縮機と、複数の熱源側熱交換器と、利用側熱交換器と、を備える熱交換システムであって、前記利用側熱交換器と、各前記熱源側熱交換器の一端側と、前記高段側圧縮機の吐出側と、前記低段側圧縮機の吸入側に接続され、流通させる前記冷媒の流路を切り替える第１流路切替手段と、前記第１流路切替手段と、各前記熱源側熱交換器との間にそれぞれ設けられ、前記第１流路切替手段と、各前記熱源側熱交換器と、前記低段側圧縮機と前記高段側圧縮機の接続点に流通させる前記冷媒の流路を切り替える第２流路切替手段と、前記第１流路切替手段と前記第２流路切替手段との流路の切替えを制御する制御手段とを具備する熱交換システムを提供する。
【００１４】
本発明の構成によれば、熱源側熱交換器から出た冷媒は、第２流路切替手段の流路の切替えによって高段側圧縮機への流路と第１流路切替手段への流路に分けられ、第１流路切替手段の切替えによって、高段側圧縮機から吐出された冷媒は、第１流路切替手段を介して利用側熱交換器側と、低段側圧縮機側に接続される流路と、各熱源側熱交換器側の一端側とに流路が切り替えられる。
本発明の構成により、複数の熱源側熱交換器から出た冷媒は、高段側圧縮機の入力側に流通させる経路と、第１流路切替手段を介して低段側圧縮機の入力側に流通させる経路とに分けることができる。このように、複数の熱源側熱交換器から出た冷媒を、低段側圧縮機と高段側圧縮機に個別に冷媒を流入させることができるので、複数の熱源側熱交換器を異なる蒸発温度で運転させることができる。
【００１５】
上記熱交換システムにおいて、一の前記熱源側熱交換器と接続される前記第２流路切替手段を第１の第２流路切替手段とし、一の前記熱源側熱交換器以外の他の前記熱源側熱交換器と接続される前記第２流路切替手段を第２の第２流路切替手段とし、複数の前記熱源側熱交換器のうち一の前記熱源側熱交換器が着霜した場合に、着霜した前記熱源側熱交換器を凝縮器として運転させ、着霜していない前記熱源側熱交換器を蒸発器として運転させ、前記制御手段は、前記高段側圧縮機から吐出された前記冷媒を前記凝縮器として運転される前記熱源側熱交換器に流通させるように前記第１の第２流路切替手段を制御し、前記凝縮器を流通後に前記蒸発器として運転される前記熱源側熱交換器を介して、前記高段側圧縮機に前記冷媒を流通させるように前記第２の第２流路切替手段を制御してもよい。
【００１６】
除霜運転時には、低段側圧縮機と高段側圧縮機の冷媒の圧縮差が小さくなる傾向があるため、除霜運転時には、蒸発器の出力後の冷媒を高段側圧縮機に吸入させ単段圧縮とすることにより、冷媒圧縮の効率低下を防ぐ。
熱源側熱交換器が複数設けられることにより、そのうち１つの熱源側熱交換器が着霜した場合には、着霜した熱源側熱交換器を凝縮器として運転させ、着霜していない熱源側熱交換器を蒸発器として運転させることにより、熱源側の熱交換器だけで除霜（デフロスト）運転を実施することができる。これにより、利用側熱交換器には低温の冷媒が流通することが無く、利用側における冷媒の温度低下を抑制することができる。
【００１７】
上記熱交換システムにおいて、暖房運転時に、前記利用側熱交換器の出口の液冷媒と、該液冷媒の一部を膨張させた二相冷媒を熱交換させる液ガス熱交換器を備え、熱交換後の前記二相冷媒を前記低段側圧縮機または前記高段側圧縮機に流入させてもよい。
【００１８】
利用側熱交換器の出口の液冷媒と液冷媒の一部を膨張させた二相冷媒を熱交換させ、熱交換後の二相冷媒を圧縮機側に流入させることにより、冷媒回路に循環する冷媒循環量を低減することができ、入力の低減を図ることができるので、性能の向上に繋がる。
【００１９】
上記熱交換システムにおいて、前記高段側圧縮機から吐出された前記冷媒を、前記熱源側熱交換器に戻すバイパス経路を設け除霜してもよい。
【００２０】
このような構成によれば、圧縮機と熱源側熱交換器で構成された回路となるため、除霜するための制御が容易となる。
【００２１】
本発明は、低段側圧縮機と、前記低段側圧縮機で圧縮された冷媒をさらに圧縮する高段側圧縮機と、複数の熱源側熱交換器と、利用側熱交換器と、を備える熱交換システムの制御方法であって、前記利用側熱交換器と、各前記熱源側熱交換器の一端側と、前記高段側圧縮機の吐出側と、前記低段側圧縮機と前記高段側圧縮機との間の接続点とに接続された第１流路切替手段において流通させる前記冷媒の流路を切り替える第１工程と、前記第１流路切替手段と、各前記熱源側熱交換器との間にそれぞれ設けられ、前記第１流路切替手段と、各前記熱源側熱交換器と、前記低段側圧縮機の吸入側とに接続された第２流路切替手段において流通させる前記冷媒の流路を切り替える第２工程と、前記第１流路切替手段と前記第２流路切替手段との流路の切替えを制御する第３工程とを具備する熱交換システムの制御方法を提供する。
【００２２】
本発明は、低段側圧縮機と、前記低段側圧縮機で圧縮された冷媒をさらに圧縮する高段側圧縮機と、複数の熱源側熱交換器と、利用側熱交換器と、を備える熱交換システムの制御方法であって、前記利用側熱交換器と、各前記熱源側熱交換器の一端側と、前記高段側圧縮機の吐出側と、前記低段側圧縮機の吸入側に接続された第１流路切替手段に流通させる前記冷媒の流路を切り替える第１工程と、前記第１流路切替手段と、各前記熱源側熱交換器との間にそれぞれ設けられ、前記第１流路切替手段と、各前記熱源側熱交換器と、前記低段側圧縮機と前記高段側圧縮機の接続点に接続された第２流路切替手段に流通させる前記冷媒の流路を切り替える第２工程と、前記第１流路切替手段と前記第２流路切替手段との流路の切替えを制御する第３工程とを具備する熱交換システムの制御方法を提供する。
【発明の効果】
【００２３】
本発明は、複数の室外熱交換器を有する熱交換システムの熱交換ロスを抑制しつつ、熱交換システムの除霜運転できるという効果を奏する。
【図面の簡単な説明】
【００２４】
【図１】本発明の第１実施形態に係る空気調和機の冷媒系統図である。
【図２】本発明の第１実施形態に係る空気調和機の制御装置の機能ブロック図である。
【図３】本発明の第１実施形態に係る空気調和機の第２暖房運転時の冷媒の流れを説明するための図である。
【図４】本発明の第１実施形態に係る空気調和機のデフロスト運転時の冷媒の流れを説明するための図である。
【図５】本発明の第２実施形態に係る空気調和機の冷媒系統図であり、デフロスト運転時の冷媒流れを示した図である。
【図６】本発明の第３実施形態に係る空気調和機の冷媒系統図である。
【図７】本発明の第４実施形態に係る空気調和機の冷媒系統図である。
【発明を実施するための形態】
【００２５】
以下に、本発明に係る熱交換システム及びその制御方法の実施形態について、図面を参照して説明する。本発明の熱交換システムは、熱媒を加熱して出力するものであり、例えば、空気調和機や給湯器等を含むヒートポンプが一例として挙げられる。熱媒は、気体、液体を問わない。また、熱交換システムは、熱媒を加熱する機能のみを有していてもよいし、加熱・冷却の両方の機能を有していてもよい。以下の説明においては、熱交換システムの一例として、空気調和機を例に挙げて説明する。
【００２６】
〔第１実施形態〕
図１は、本実施形態に係る空気調和機１０の冷媒系統図である。空気調和機１０は、冷媒を圧縮する圧縮機３と、室内空気と冷媒とが熱交換する室内熱交換器（利用側熱交換器）５と、外気と冷媒とが熱交換する室外熱交換器（熱源側熱交換器）６と、レシーバ４と、四方弁（第１流路切替手段）７と、三方弁（第２流路切替手段）８と、温度検出部２とを備えている。レシーバ４と室内熱交換器５との間の冷媒配管には第１膨張弁９が設けられ、レシーバ４と室外熱交換器６との間の冷媒配管には第２膨張弁１１がそれぞれ設けられている。上記構成において、例えば、圧縮機３、レシーバ４、室外熱交換器６、四方弁７、三方弁８、及び第２膨張弁１１は、室外機に設けられ、室内熱交換器５及び第１膨張弁９は室内機に設けられている。
【００２７】
本実施形態においては室外熱交換器６が室外熱交換器６ａ，６ｂとして２個あることとして説明するが、室外熱交換器の数は特に限定されない。
本実施形態においては、凝縮器（室内熱交換器５）に比べて各蒸発器（室外熱交換器６ａ，６ｂ）のサイズ（熱交換量）が小さいものとする。１台の蒸発器で熱が十分に供給できる場合には、運転させていない蒸発器は使用しなくてもよいが、要求熱量が１台で供給できない場合には、運転させていない蒸発器を使用することで不足分を補う。
温度検出部２、三方弁８、及び第２膨張弁１１はそれぞれ室外熱交換器６毎に対応して設けられており、本実施形態においては、それぞれを区別するときは温度検出部２ａ，２ｂ、三方弁８ａ，８ｂ、及び第２膨張弁１１ａ，１１ｂとして示すが、特に区別しないときにはａ，ｂの符号を省略して示す。
【００２８】
圧縮機３は、低段側圧縮機３ａと、高段側圧縮機３ｂとを備える２段圧縮機とされている。低段側圧縮機３ａで圧縮された中間圧力の冷媒をさらに高段側圧縮機３ｂで圧縮して高圧として吐出するものである。低段側圧縮機３ａ及び高段側圧縮機３ｂは、ローリングピストンタイプあるいはスイングタイプのロータリ式圧縮機構およびスクロール圧縮機構等の公知の形式の圧縮機構を適用できる。
低段側圧縮機３ａは、吐出側から冷媒配管を介して高段側圧縮機３ｂに接続されており、高段側圧縮機３ｂは、低段側圧縮機３ａで圧縮された中間圧の冷媒ガスを吸入して２段圧縮する。
空気調和機１０は、圧縮機３から吐出されて四方弁７に流れる冷媒の圧力（高圧圧力：凝縮圧力）を測定する圧力センサ（図示略）、及び四方弁７から圧縮機３へ戻される冷媒の圧力（低圧圧力：蒸発圧力）を測定する圧力センサ（図示略）を備える。
【００２９】
空気調和機１０は、低段側圧縮機３ａと高段側圧縮機３ｂを接続する配管Ｌ１と、高段側圧縮機３ｂと四方弁７を接続する配管Ｌ２と、四方弁７と室内熱交換器５を接続する配管Ｌ３と、第１膨張弁９を介して室内熱交換器５とレシーバ４を接続する配管Ｌ４と、第２膨張弁１１ａ，１１ｂを介してレシーバ４と室外熱交換器６ａ，６ｂを接続する配管Ｌ５と、室外熱交換器６ａと三方弁８ａを接続する配管Ｌ６と、室外熱交換器６ｂと三方弁８ｂを接続する配管Ｌ７と、三方弁８ａと低段側圧縮機３ａとを接続する配管Ｌ１２と、三方弁８ｂと低段側圧縮機３ａとを接続する配管Ｌ１１と、低段側圧縮機３ａの吐出側と高段側圧縮機３ｂの吸入側との間に設けられる接続点Ｘと四方弁７とを接続する配管Ｌ８と、四方弁７と三方弁８ａを接続する配管Ｌ９と、四方弁７と三方弁８ｂを接続する配管Ｌ１０とを備え、冷媒が循環する冷媒回路を構成する。
【００３０】
レシーバ４は、冷媒の気液分離が行われるとともに循環する冷媒量の調整が行われる。
四方弁７は、室内熱交換器５と、三方弁８ａ，８ｂ（室外熱交換器６ａ，６ｂの一端側）と、高段側圧縮機３ｂの吐出側と、低段側圧縮機３ａの吐出側と高段側圧縮機３ｂの吸入側との間に設けられる接続点Ｘとに接続され、流通させる冷媒の流路を切り替える。
三方弁８ａは、四方弁７と室外熱交換器６ｂとが接続される経路上の接続点Ｙと室外熱交換器６ａとの間に設けられ、四方弁７と、室外熱交換器６ａと、低段側圧縮機３ａの吸入側とに流通させる冷媒の流路を切り替える。つまり、三方弁８ａは、配管Ｌ６と配管Ｌ９と配管Ｌ１２の冷媒流路を切り替える。
三方弁８ｂは、四方弁７と三方弁８ａとが接続される経路上の接続点Ｙと室外熱交換器６ｂとの間に設けられ、四方弁７と、室外熱交換器６ｂと、低段側圧縮機３ａの吸入側とに流通させる冷媒の流路を切り替える。つまり、三方弁８ｂは、配管Ｌ７と配管Ｌ１０と配管Ｌ１１の冷媒流路を切り替える。
【００３１】
温度検出部２ａ，２ｂは、例えばセンサであり、蒸発器として運転する室外熱交換器６ａ，６ｂの温度（以下「蒸発器の温度」ともいう）を検出し、制御装置２０に出力する。本実施形態においては、蒸発器の配管温度、つまり、暖房運転時の室外熱交換器６ａ，６ｂの配管温度を検出することにより蒸発器の温度とする場合を例に挙げて説明するが、蒸発器の温度の検出方法はこれに限定されない。蒸発器の温度は、例えば、蒸発器の熱源温度、つまり、暖房運転時の室外熱交換器６ａ，６ｂの熱源温度を検出して得てもよく、熱源が空気であれば、温度検出部２は外気温を検出し、熱源が水であれば、温度検出部２は水の温度を検出する。温度検出部２ａ，２ｂで検出した室外熱交換器６ａ，６ｂのそれぞれの蒸発器の温度情報は、制御装置２０に出力される。
【００３２】
このような空気調和機１０において、圧縮機３の制御、四方弁７の切り替え、三方弁８ａ，８ｂの切り替え、第１膨張弁９及び第２膨張弁１１ａ，１１ｂの開度制御等は、制御装置２０（図２参照）によって行われる。
制御装置２０は、例えば、マイクロプロセッサであり、後述する各部により実現される各種機能は、ＲＯＭ等の記録媒体に格納されているプログラムをＣＰＵがＲＡＭ等のメモリに読み出して実行することにより実現される。具体的には、制御装置２０は、制御部（制御手段）２１、蒸発温度算出部２２、及び判定部２３を主な構成として備えている。
【００３３】
蒸発温度算出部２２は、温度検出部２で検出された蒸発器（各室外熱交換器６ａ，６ｂ）の温度情報を取得し、蒸発器の温度情報に基づいて蒸発温度を算出し、各室外熱交換器６ａ，６ｂの蒸発温度の情報を判定部２３に出力する。または、冷媒配管に圧力検出部（図示略）を設け、蒸発温度算出部２２は、圧力検出部により圧力情報を取得し、飽和温度に基づいて蒸発温度を算出しても良い。
判定部２３は、各室外熱交換器６ａ，６ｂ間での蒸発温度の差と、記憶部（図示略）に記憶されている蒸発器の所定温度差（閾値温度）とを比較する。比較の結果、判定部２３は、室外熱交換器６ａ，６ｂの蒸発温度差が所定温度差未満の場合には、第１暖房運転指令を出力し、所定温度差以上の場合には第２暖房運転指令を出力する。
また、判定部２３は、室外熱交換器６ａ，６ｂが着霜したか否かを判定し、着霜を検出した場合には、デフロスト（除霜）運転指令を制御部２１に出力する。
【００３４】
例えば、空気調和機１０が暖房運転時において、判定部２３は、２つの室外熱交換器６ａ，６ｂの蒸発温度差が所定温度差（例えば、２０℃）以上か否かを判定し、蒸発器温度差が所定温度（例えば、２０℃）より小さい場合は第１暖房運転指令を出力し、蒸発器温度差が所定温度（例えば、２０℃）以上である場合には、第２暖房運転指令を出力する。
【００３５】
制御部２１は、取得した指令に基づいて、四方弁７の切り替え、三方弁８ａ，８ｂの切り替え及び開度制御を行う。例えば、一の室外熱交換器６と接続される三方弁８を第１三方弁とし、一の室外熱交換器６以外の他の室外熱交換器６と接続される三方弁８を第２三方弁とすると、制御部２１は、第２暖房運転時、第１三方弁を介して低段側圧縮機３ａに冷媒を流入させ、第２三方弁を介して高段側圧縮機３ｂに冷媒を流入させる。
【００３６】
具体的には、制御部２１は、冷房運転指令を取得すると、冷房運転に応じて三方弁８ａ，８ｂ及び四方弁７の開閉を制御する。
例えば、三方弁８ｂは、四方弁７側と室外熱交換器６ｂ側の流路を開状態にさせ低段側圧縮機３ａ側の流路を閉状態にさせ、三方弁８ａは、四方弁７側と室外熱交換器６ａ側の流路を開状態にさせ、低段側圧縮機３ａ側の流路を閉状態にさせる。これにより、高段側圧縮機３ｂから吐出された冷媒が、三方弁８ｂを介して室外熱交換器６ｂに流入し、三方弁８ａを介して室外熱交換器６ａに流入し、レシーバ４、室内熱交換器５と流通して、四方弁７を介して高段側圧縮機３ｂに流入される経路となる。
【００３７】
第１暖房運転時、制御部２１は、三方弁８ａ，８ｂは、四方弁７側の流路を閉状態にさせ低段側圧縮機３ａ側の流路を開状態にさせるように制御し、室外熱交換器６ａ，６ｂから出た冷媒の流入先を低段側圧縮機３ａとする。
第２暖房運転時、制御部２１は、例えば、蒸発器温度が低い室外熱交換器６ａと接続される三方弁８ａ（第１三方弁）は、四方弁７側の流路を閉状態にさせ低段側圧縮機３ａ側の流路を開状態にさせるように制御し、蒸発器温度が高い室外熱交換器６ｂと接続される三方弁８ｂ（第２三方弁）は、四方弁７側の流路を開状態にさせ低段側圧縮機３ａ側の流路を閉状態にさせるように制御し、室外熱交換器６ａ，６ｂから出た冷媒の流入先の圧縮機を異ならせる。これにより、蒸発器温度が低い室外熱交換器６から出力された冷媒は、低段側圧縮機３ａと高段側圧縮機３ｂで圧縮され、蒸発器温度が高い室外熱交換器６から出力された冷媒は、高段側圧縮機３ｂで圧縮させることができるので、異なる蒸発器温度の室外熱交換器６があっても、無駄なく運転させることができる。
【００３８】
また、制御部２１は、デフロスト運転指令を取得すると、複数の室外熱交換器６のうち着霜のおそれがあると判定された室外熱交換器６を凝縮器として運転させ、着霜のおそれがあると判定されていない室外熱交換器６を蒸発器として運転させる。制御部２１は、例えば、三方弁８ｂ（第１三方弁）は、低段側圧縮機３ａ側の流路を閉状態にし、室外熱交換器６ｂ側の流路を開状態にすることで高段側圧縮機３ｂからの冷媒を室外熱交換器６ｂに流通させ、三方弁８ａ（第２三方弁）は四方弁７側の流路を閉状態にし、低段側圧縮機３ａ側の流路を開状態にすることで室外熱交換器６ａからの冷媒を低段側圧縮機３ａに流通させる。なお、デフロスト運転においては、周知のリバースサイクル運転により実施しても良い。
【００３９】
このように、室外熱交換器６ａ，６ｂが複数設けられることにより、そのうち１つの室外熱交換器６ａ，６ｂが着霜した場合であっても、着霜した室外熱交換器６ａ，６ｂを凝縮器として運転させ、着霜していない室外熱交換器６ａ，６ｂを蒸発器として運転させることにより、室外機側の熱交換器だけで除霜（デフロスト）運転を実施することができる。これにより、室内熱交換器５には低温の冷媒が流通することが無く、利用側における冷媒の温度低下を抑制することができる。
【００４０】
ここで、空気調和機１０の冷房運転、暖房運転のときの冷媒の流れについて説明する。
本実施形態に係る空気調和機１０の冷房運転時においては、室内熱交換器５から出た冷媒は、四方弁７を介して高段側圧縮機３ｂに送られる。高段側圧縮機３ｂにおいて圧縮された冷媒は、四方弁７を介して三方弁８ａ，８ｂを経て室外熱交換器６ａ，６ｂに送られ、ここで外気と熱交換することによって凝縮液化して液冷媒となる。液冷媒となった冷媒は、第２膨張弁１１により中間圧に調整され、レシーバ４に送られる。レシーバ４において冷媒は気液分離され、液冷媒は、第１膨張弁９を通過する過程で断熱膨張した後、室内熱交換器５に送られ、ここで室内空気を冷却することによって蒸発気化する。室内熱交換器５において、吸熱してガスになった冷媒は、四方弁７を介して高段側圧縮機３ｂに送られる。高段側圧縮機３ｂによって圧縮された冷媒が四方弁７に送られる。このように、空気調和機１０の冷房運転時には、室外熱交換器６が凝縮器として、室内熱交換器５が蒸発器として機能する。
【００４１】
一方、暖房運転の場合には、本実施形態においては、第１暖房運転と第２暖房運転の２つの暖房運転方式を切り替えられるようになっている。第１暖房運転は、室外熱交換器６ａ，６ｂの蒸発温度の差が所定温度差未満の場合に選択され、第２暖房運転は、室外熱交換器６ａ，６ｂの蒸発温度差が所定温度以上の場合に選択される。
【００４２】
以下に、本実施形態に係る暖房運転について説明する。ここでは、複数の室外熱交換器６ａ，６ｂの運転が必要となる熱量が要求されており、複数の室外熱交換器６ａ，６ｂを蒸発器として運転している場合を例に挙げて説明する。
空気調和機１０の第１暖房運転時には、室外熱交換器６ａ，６ｂから流出した冷媒は、三方弁８ａ，８ｂを介して低段側圧縮機３ａに流入され、高段側圧縮機３ｂから吐出され、四方弁７から室内熱交換器５に流入される。室内熱交換器５で室内空気に放熱することによって凝縮液化し、高圧低温の液冷媒となる。この液冷媒は、第１膨張弁９によって中間圧に調整され、レシーバ４に送られる。レシーバ４において中間圧冷媒は気液分離され、第２膨張弁を通過する過程で断熱膨張した後、室外熱交換器６ａ，６ｂに送られ、ここで外気を冷却することによって蒸発気化する。室外熱交換器６ａ，６ｂにおいて吸熱してガスになった冷媒は、三方弁８ａ、四方弁７等を経て圧縮機に送られる。
【００４３】
蒸発温度差が検出されており、蒸発温度差が所定温度差以上か否かが判定され、所定温度差以上と判定された場合には、空気調和機１０の暖房運転が、第２暖房運転に切り替えられる。ここでは、室外熱交換器６ａの蒸発器の温度に基づいて算出された蒸発温度が第１温度（例えば、２０℃）とし、室外熱交換器６ｂの蒸発器の温度に基づいて算出された蒸発温度が第２温度（例えば、０℃）である場合を例に挙げて説明する。
【００４４】
例えば、空気調和機１０の第２暖房運転時には、室外熱交換器６ａより蒸発器温度が低い室外熱交換器６ｂから流出した冷媒は、例えば、図３の点線矢印で示すように、三方弁８ｂを経て低段側圧縮機３ａに送られる。室外熱交換器６ｂより蒸発器温度が高い室外熱交換器６ａから出た冷媒は、図３の実線矢印で示すように、三方弁８ａを経て四方弁７を介し、接続点Ｘで合流して、高段側圧縮機３ｂに送られる。高段側圧縮機３ｂから吐出された冷媒は、室内熱交換器５に送られ、第１膨張弁９、レシーバ４、第２膨張弁１１、室外熱交換器６ａ，６ｂの順に送られる。
【００４５】
ここでは、三方弁８ａは低段側圧縮機３ａ側の流路を閉状態にして四方弁７側の流路を開状態にし、三方弁８ｂは低段側圧縮機３ａ側の流路を開状態にして四方弁７側の流路を閉状態にすることとして説明しているが、これに限定されない。例えば、三方弁８ａは低段側圧縮機３ａ側の流路を開状態にして四方弁７側の流路を閉状態にし、三方弁８ｂは低段側圧縮機３ａ側の流路を閉状態にして四方弁７側の流路を開状態にして暖房運転させてもよい。本実施形態においては、各三方弁８ａ，８ｂが接続される室外熱交換器６ａ，６ｂが蒸発器として運転するときのそれぞれの蒸発温度に応じて、四方弁７側を開状態にするか低段側圧縮機３ａの流路を開状態にするかが決定される。
【００４６】
低段側圧縮機３ａにおいて圧縮された冷媒は、接続点Ｘにおいて配管Ｌ８を流通した室外熱交換器６からの冷媒と合流して高段側圧縮機３ｂに吸い込まれ、高段側圧縮機３ｂによって更に圧縮された冷媒が四方弁７に送られる。
このように、空気調和機１０の暖房運転時には、室内熱交換器５が凝縮器として、室外熱交換器６ａ，６ｂが蒸発器として機能する。
なお、本実施形態では、室内熱交換器５及び室外熱交換器６ともに気体との熱交換としているが、これに限られず、液体（例えば、水）との熱交換としてもよい。
【００４７】
また、暖房運転時、蒸発器として運転している室外熱交換器６ａ，６ｂがフロスト（着霜）したか否かが判定されており、例えば、室外熱交換器６ｂでフロストが検出された場合には、図４の実線に示されるように冷媒を流す。すなわち、四方弁７は、室内熱交換器５側の流路と接続点Ｘへの流路とを閉状態にし、三方弁８ｂは、低段側圧縮機３ａ側の流路を閉状態にし、室外熱交換器６ｂ側の流路を開状態にし、三方弁８ａは、四方弁７側の流路を閉状態にし、低段側圧縮機３ａ側の流路を開状態にし、室外熱交換器６ａ側の流路を開状態にする。
【００４８】
そして、室外熱交換器６ｂを凝縮器として運転させ、室外熱交換器６ａを蒸発器として運転させることで、高段側圧縮機３ｂから吐出された冷媒を三方弁８ｂを介して室外熱交換器６ｂに流入させ、室外熱交換器６ｂから出た冷媒を室外熱交換器６ａに流入させ、室外熱交換器６ａから出た冷媒は低段側圧縮機３ａ、高段側圧縮機３ｂに流入させる。このように、室外機に複数の室外熱交換器６が設けられ、複数の室外熱交換器６を凝縮器と蒸発器として運転させることにより、室内機を冷媒が流通することなく、室外機側でデフロスト運転ができるようになる。このとき、暖房は停止させているので、室内機が配置される空間（室内）には、冷風が吹出すことがないので、室内は体感温度を維持した状態で、空気調和機１０をデフロスト運転できる。
【００４９】
以上説明してきたように、本実施形態に係る空気調和機１０及びその制御方法によれば、室外熱交換器６ａ，６ｂから出た冷媒は、三方弁８ａ，８ｂの流路の切替えによって低段側圧縮機３ａへの流路と四方弁７への流路に分けられ、四方弁７の切替えによって、高段側圧縮機３ｂから吐出された冷媒は、四方弁７を介して室内熱交換器５側と、低段側圧縮機３ａと高段側圧縮機３ｂとの接続点Ｘに接続される流路と、三方弁８ａ，８ｂ（各室外熱交換器６ａ，６ｂ側の一端側に接続される三方弁）とに流路が切り替えられる。
本実施形態の構成により、複数の室外熱交換器６ａ，６ｂから出た冷媒は、低段側圧縮機３ａの入力側に流通させる経路と、四方弁７を介して、低段側圧縮機３ａを流通させずに（バイパスして）高段側圧縮機３ｂの入力側に流通させる経路とに分けることができる。
【００５０】
このように、複数の室外熱交換器６ａ，６ｂから出た冷媒を、低段側圧縮機３ａと高段側圧縮機３ｂに個別に冷媒を流入させることができるので、複数の室外熱交換器６ａ，６ｂを異なる蒸発温度で運転させることができる。
従来は、蒸発温度が異なる複数の蒸発器を用いる場合には、高い蒸発温度の蒸発器は低い蒸発温度の蒸発器に合わせる必要があったので、高い蒸発温度の蒸発器は能力が低下していた。本実施形態によれば、蒸発温度が低い室外熱交換器６から出力された冷媒は、低段側圧縮機３ａと高段側圧縮機３ｂで圧縮させ、蒸発温度が高い室外熱交換器６から出力された冷媒は、高段側圧縮機３ｂで圧縮させることができる。このように、蒸発器を出た冷媒に対し、単段圧縮または二段圧縮を選択できるので、低い蒸発温度の蒸発器に合わせる必要がなく、異なる蒸発温度の室外熱交換器６があっても、無駄なく運転させることができる。
【００５１】
また、室外熱交換器６が複数設けられることにより、そのうち１つの室外熱交換器６が着霜した場合には、着霜した室外熱交換器６を凝縮器として運転させ、着霜していない室外熱交換器６を蒸発器として運転させることにより、熱源側の熱交換器だけで除霜（デフロスト）運転を実施することができる。これにより、室内熱交換器５には低温の冷媒が流通することが無く、利用側（例えば、室内）における冷媒の温度低下を抑制することができ、室内の温度低下を防ぐ。
本実施形態においては、第１流路切替手段は四方弁とし、第２流路切替手段は三方弁であることを例に挙げて説明していたが、本発明はこれに限定されない。例えば、第２流路切替手段は、冷媒方向を切り替えられるバルブ（例えば、電動、手動を問わない。）等であってもよい。
【００５２】
〔第２実施形態〕
以下、本発明の第２実施形態について説明する。本実施形態の空気調和機１０の冷媒回路の四方弁（第１流路切替手段）と三方弁（第２流路切替手段）の設けられる位置が第１実施形態と異なる。本実施形態の熱交換システムについて、第１実施形態と共通する点については説明を省略し、図５を用いて異なる点について主に説明する。
【００５３】
四方弁７は、室内熱交換器５と、（室外熱交換器６ａ，６ｂの一端側と接続される）三方弁８ａ，８ｂと、高段側圧縮機３ｂの吐出側と、低段側圧縮機３ａに接続され、流通させる冷媒の流路を切り替える。
三方弁８ａは、四方弁７と室外熱交換器６ｂとが接続される経路上の接続点Ｙと室外熱交換器６ａとの間に設けられ、低段側圧縮機３ａの吐出側と高段側圧縮機３ｂの吸入側の間に設けられる接続点Ｑと、四方弁７と、室外熱交換器６ａとに流通させる冷媒の流路を切り替える。
三方弁８ｂは、四方弁７と三方弁８ａとが接続される経路上の接続点Ｙと室外熱交換器６ｂとの間に設けられ、四方弁７と、室外熱交換器６ｂと、低段側圧縮機３ａの吐出側と高段側圧縮機３ｂの吸入側の間に繋がる接続点Ｐ側に流通させる冷媒の流路を切り替える。
【００５４】
第２暖房運転の場合には、第１実施形態の場合と同様に、室外熱交換器６ａ，６ｂに蒸発温度差が所定温度差以上となった場合に、三方弁８ａ，８ｂの開閉状態を切り替え、異なる圧縮機に室外熱交換器６ａ，６ｂからの冷媒を流入させる。
本実施形態に係るデフロスト運転の場合には、以下のように三方弁８ａ，８ｂ及び四方弁７を制御する。ここで、室外熱交換器６ｂがフロストした場合を例に挙げて説明する。
四方弁７は、室内熱交換器５側の流路及び低段側圧縮機３ａ側の流路を閉状態にし、室外熱交換器６側の流路を開状態にする。三方弁８ａは、室外熱交換器６ａ側の流路を開状態にし、四方弁７側の流路を閉状態にし、低段側圧縮機３ａと高段側圧縮機３ｂとの間の接続点Ｑへの流路を開状態にする。
【００５５】
三方弁８ｂは、四方弁７側の流路を開状態にし、室外熱交換器６ｂ側の流路を開状態にし、低段側圧縮機３ａと高段側圧縮機３ｂとの間の接続点Ｑへの流路を閉状態にする。そして、室外熱交換器６ａを蒸発器とし、フロストしたことを検出した室外熱交換器６ｂを凝縮器として運転させ、高段側圧縮機３ｂから吐出された冷媒が四方弁７を介して三方弁８ｂを経て、凝縮器として運転する室外熱交換器６ｂに流入する。室外熱交換器６ｂから出た冷媒は室外熱交換器６ａに流入され、三方弁８ａを介して、高段側圧縮機３ｂに吸入される。
【００５６】
こうして、着霜した蒸発器（例えば、室外熱交換器６ｂ）を凝縮器として運転させ、温かい冷媒を流すことにより除霜する。
以上説明したように、本実施形態に係る空気調和機１０及びその制御方法によれば、室外熱交換器６が複数設けられ、そのうち１つの室外熱交換器６が着霜した場合には、着霜した室外熱交換器６を凝縮器として運転させ、着霜していない室外熱交換器６を蒸発器として運転させることにより、熱源側の熱交換器だけで除霜（デフロスト）運転を実施することができる。これにより、室内熱交換器５には低温の冷媒が流通することが無く、利用側における冷媒の温度低下を抑制することができる。また、除霜運転時には、低段側圧縮機３ａと高段側圧縮機３ｂの冷媒の圧縮差が小さくなる傾向があるため、除霜運転時には、蒸発器の出力後の冷媒を高段側圧縮機に吸入させ単段圧縮とすることにより、２段圧縮する場合と比較して、冷媒圧縮の効率低下を防ぐ。
【００５７】
〔第３実施形態〕
以下、本発明の第３実施形態について説明する。本実施形態の空気調和機１０は、液ガス熱交換器を設ける点で、第１実施形態、第２実施形態と異なる。本実施形態の熱交換システムについて、第１実施形態、第２実施形態と共通する点については説明を省略し、図６を用いて異なる点について主に説明する。
【００５８】
図６は、図１の構成に加え、室外機に液ガス熱交換器３０と、第３膨張弁３１とを備えている。
液ガス熱交換器３０は、室内熱交換器５の出口の液冷媒と、該液冷媒を分流し、第３膨張弁３１で膨張した一部の二相冷媒を熱交換させる。また、液ガス熱交換器３０は、対向流でも平行流でもよく、特に限定されない。
【００５９】
室内熱交換器５で室内空気に放熱することによって凝縮液化し、高圧低温の液冷媒は、第１膨張弁９によって圧力調整され、一部の液冷媒が液ガス熱交換器３０に流入される。液ガス熱交換器３０において、室内熱交換器５の出口の液冷媒と、第３膨張弁３１で膨張した一部の二相冷媒が熱交換され、ガス冷媒は高段側圧縮機３ｂの吸入側へ流入される（配管Ｌ２０参照）。ここでは、配管Ｌ２０の連結部は高段側圧縮機３ｂの吸入側としているが、本発明はこれに限定されず、例えば、低段側圧縮機３ａの吸入側であってもよい。
【００６０】
また、図６においては、液ガス熱交換器３０は、室内熱交換器５とレシーバ４との間に設けられているが、液ガス熱交換器３０の位置はこれに限定されず、例えば、レシーバ４と室外熱交換器６との間に設けても良い。
このように、液ガス熱交換器３０を設けることにより、液ガス熱交換器３０がインジェクションの役割を果たすので、低段側圧縮機３ａへの冷媒の循環量を減らすことができ、入力の低減を図ることができる。これにより、暖房運転性能のさらなる向上を期待できる。
【００６１】
〔第４実施形態〕
以下、本発明の第４実施形態について説明する。本実施形態の空気調和機１０は、高段側圧縮機の吐出側から室外熱交換器の区間にバイパス経路を設ける点で、第１実施形態、第２実施形態、第３実施形態と異なる。本実施形態の熱交換システムについて、第１実施形態、第２実施形態、第３実施形態と共通する点については説明を省略し、図７を用いて異なる点について主に説明する。
【００６２】
図７は、図１の構成に加え、第２膨張弁１１ａ，１１ｂと室外熱交換器６ａ，６ｂの間の接続点Ａ，Ｂと、高段側圧縮機３ｂの吐出側に設けられる接続点Ｚとを接続するバイパス経路Ｌ４０を備えている。例えば、バイパス経路Ｌ４０は、蒸発器として運転していた室外熱交換器６がフロストした場合に使用される。
例えば、室外熱交換器６ａに着霜した場合には、図７の実線矢印のように、冷媒の全量を室外熱交換器６ａ、三方弁８ａ、低段側圧縮機３ａ、高段側圧縮機３ｂ、バイパス経路Ｌ４０、室外熱交換器６ａの順で循環させる。また例えば、室外熱交換器６ｂに着霜した場合には、室外熱交換器６ｂ、三方弁８ｂ、低段側圧縮機３ａ、高段側圧縮機３ｂ、バイパス経路Ｌ４０、室外熱交換器６ｂの順で循環させてもよい。
さらに、例えば、複数の室外熱交換器６ａ，６ｂがいずれもフロストした場合に、複数の室外熱交換器６ａ，６ｂ、三方弁８ａ，８ｂ、低段側圧縮機３ａ、高段側圧縮機３ｂ、バイパス経路Ｌ４０、室外熱交換器６ａ，６ｂのように複数の室外熱交換器６に冷媒を流通させてもよい。
【００６３】
三方弁８ａ，８ｂは、バイパス経路Ｌ４０を使用し、室外熱交換器６ａ，６ｂ側の流路と低段側圧縮機３ａ側の流路を開状態にした場合には、四方弁７側の流路は閉状態にする。四方弁７は、高段側圧縮機３ｂの吐出側の流路を閉状態にする。これにより、室外熱交換器６ａ，６ｂから出た冷媒は、低段側圧縮機３ａに流入し、さらに高段側圧縮機３ｂに流入し、バイパス経路Ｌ４０を通って室外熱交換器６ａ，６ｂに戻る。
【００６４】
また、三方弁８ａ，８ｂは、バイパス経路Ｌ４０を使用し、室外熱交換器６ａ，６ｂ側の流路と四方弁７側の流路を開状態にした場合には、低段側圧縮機３ａ側の流路を閉状態にする。四方弁７は、三方弁８ａ，８ｂ側の流路と接続点Ｘへの流路を開状態とし、高段側圧縮機３ｂの吐出側の流路を閉状態とする。これにより、室外熱交換器６ａ，６ｂから出た冷媒は、高段側圧縮機３ｂに流入し、バイパス経路Ｌ４０を通って室外熱交換器６ａ，６ｂに戻る。
このように、室外熱交換器６ａ，６ｂから出た冷媒は、低段側圧縮機３ａに流入させてもよいし、高段側圧縮機３ｂに流入させるようにしてもよい。
【００６５】
バイパス経路Ｌ４０を用いる場合には、室外熱交換器６ａ，６ｂは蒸発器や凝縮器として運転させるものでなく、ホットガスを流通させるときに用いられるものであるため、ここでは「ホットガスサイクル」と呼ぶ。
図７においてバイパス経路Ｌ４０は、高段側圧縮機３ｂの吐出側から、接続点Ａ，Ｂまでの区間としているが、バイパス経路Ｌ４０の配置位置はこれに限定されない。例えば、低段側圧縮機３ａの吐出側に接続点を設け、低段側圧縮機３ａの吐出側の接続点から接続点Ａ，Ｂを接続する経路としてもよい。
【００６６】
このような構成により、従来のデフロスト運転が実施出来ない場合であっても、圧縮機から吐出される冷媒を直接に室外熱交換器６に流入させることで、室外熱交換器６の除霜を実施することができる。これにより、デフロスト時に凝縮器を必要としない。また、圧縮機３と室外熱交換器６のみの回路となるため、デフロスト制御が他の実施例と比較して容易である。
【００６７】
以上、本発明の実施形態について図面を参照して詳述してきたが、具体的な構成はこの実施形態に限られるものではなく、本発明の要旨を逸脱しない範囲の設計変更なども含まれる。
【符号の説明】
【００６８】
２ａ，２ｂ  温度検出部
３ａ  低段側圧縮機
３ｂ  高段側圧縮機
５  室内熱交換器（利用側熱交換器）
６ａ，６ｂ  室外熱交換器（熱源側熱交換器）
７  四方弁（第１流路切替手段）
８ａ，８ｂ  三方弁（第２流路切替手段）
１０  空気調和機
Ｘ，Ｙ，Ｚ，Ａ，Ｂ  接続点
【図１】
2018204812.tif 000003
【図２】
2018204812.tif 000004
【図３】
2018204812.tif 000005
【図４】
2018204812.tif 000006
【図５】
2018204812.tif 000007
【図６】
2018204812.tif 000008
【図７】
2018204812.tif 000009